(57)【要約】  本技術は、アンテナの小型化を図ることができるようにするアンテナ、及び、電子機器に関する。開口部が所定のサイズのコイルである１以上の標準コイルと、開口部が、標準コイルより小さいサイズのコイルである１以上の小コイルとが電気的に接続されている。また、標準コイルを有する標準コイル層と、小コイルを有する小コイル層とが、小コイルの開口部が標準コイルの開口部に包含されるように積層されている。さらに、表層は、標準コイル層になっている。本技術は、例えば、非接触通信を行うアンテナ等に適用することができる。
2014196391.tif 000002
【特許請求の範囲】
【請求項１】
開口部が所定のサイズのコイルである１以上の標準コイルと、
開口部が、前記標準コイルより小さいサイズのコイルである１以上の小コイルと
が電気的に接続され、
前記標準コイルを有する標準コイル層と、前記小コイルを有する小コイル層とが、前記小コイルの開口部が前記標準コイルの開口部に包含されるように積層され、
表層が、前記標準コイル層になっている
アンテナ。
【請求項２】
表層以外の層の前記標準コイル層、及び、前記小コイル層のうちの１以上は、前記標準コイルと前記小コイルとを有するダブルコイル層になっている
請求項１に記載のアンテナ。
【請求項３】
各層の標準コイル又は小コイルのターン数は、略１ターンである
請求項１に記載のアンテナ。
【請求項４】
前記標準コイルの開口部と、前記小コイルの開口部との面積比は、略４：３である
請求項１に記載のアンテナ。
【請求項５】
前記標準コイル層と前記小コイル層とが交互に積層されている
請求項１に記載のアンテナ。
【請求項６】
前記標準コイル層、又は、前記小コイル層が、連続して積層されている
請求項１に記載のアンテナ。
【請求項７】
開口部が、前記小コイルより小さいサイズのコイルである極小コイルを有する極小コイル層が、さらに積層されている
請求項１に記載のアンテナ。
【請求項８】
前記標準コイル層と前記小コイル層とが、合計で６層だけ積層されている
請求項１に記載のアンテナ。
【請求項９】
前記６層のうちの第１層、第２層、第４層、及び、第６層は、前記標準コイル層であり、
前記６層のうちの第３層、及び、第５層は、前記小コイル層である
請求項８に記載のアンテナ。
【請求項１０】
前記標準コイルは、開口部が略19mm×14mmの略矩形状のコイルであり、
前記小コイルは、開口部が略17mm×12mmの略矩形状のコイルであり、
前記標準コイルを構成する線と、前記小コイルを構成する線との、前記開口部を含む面上の距離が、略1mmとなるように、前記標準コイル層と前記小コイル層とが積層されている
請求項９に記載のアンテナ。
【請求項１１】
開口部が所定のサイズのコイルである１以上の標準コイルと、
開口部が、前記標準コイルより小さいサイズのコイルである１以上の小コイルと
が電気的に接続され、
前記標準コイルを有する標準コイル層と、前記小コイルを有する小コイル層とが、前記小コイルの開口部が前記標準コイルの開口部に包含されるように積層され、
表層が、前記標準コイル層になっている
アンテナと、
前記アンテナを用いた無線通信を行うための信号処理を行う信号処理部と
を備える電子機器。
【発明の詳細な説明】
【技術分野】
【０００１】
本技術は、アンテナ、及び、電子機器に関し、特に、例えば、アンテナの小型化を図ることができるようにするアンテナ、及び、電子機器に関する。
【背景技術】
【０００２】
非接触通信によりデータをやりとりする、例えば、IC(Integrated Circuit)カード等のRF(Radio Frequency)タグのアンテナとしては、例えば、平面上に、金属線を渦巻き状に巻いたコイルがある。【０００３】
また、RFタグのアンテナとしては、例えば、コイルと対向するように、平面導体を配置し、コイルと平面導体とをキャパシタンス素子によって、容量的に結合することによって、金属部品の影響を受けにくくしたアンテナが提案されている（例えば、特許文献１を参照）。
【先行技術文献】
【特許文献】
【０００４】
【特許文献１】特開2011-193245号公報
【発明の概要】
【発明が解決しようとする課題】
【０００５】
ところで、RFタグの非接触通信において、ある程度の通信品質を確保するためには、例えば、RFタグのアンテナとしてのコイルと、そのRFタグとの間で非接触通信を行うR/W(Reader/Writer)のアンテナとしてのコイルとの間の結合係数が、ある程度の値以上になる必要がある。【０００６】
RFタグのアンテナとしてのコイルと、R/Wのアンテナとしてのコイルとの間の結合係数（以下、適宜、kを用いて表す）を、ある程度の値以上にするには、一般に、RFタグのアンテナとしてのコイルと、R/Wのアンテナとしてのコイルとの開口部の面積（開口面積）を、同程度の面積にすることが要求される。【０００７】
そのため、RFタグのアンテナ（コイル）として、R/Wのアンテナ（コイル）よりも極端に小さいサイズ（開口部）のアンテナを採用することは困難であった。【０００８】
一方、近年においては、例えば、ディジタルカメラやスマートフォンその他の携帯可能な電子機器の小型化が進んでおり、かかる小型の電子機器に、RFタグを組み込むことの要求が高まっているが、小型の電子機器に、RFタグを組み込むには、RFタグのアンテナの小型化を図る必要がある。【０００９】
本技術は、このような状況に鑑みてなされたものであり、アンテナの小型化を図ることができるようにするものである。
【課題を解決するための手段】
【００１０】
本技術のアンテナは、開口部が所定のサイズのコイルである１以上の標準コイルと、開口部が、前記標準コイルより小さいサイズのコイルである１以上の小コイルとが電気的に接続され、前記標準コイルを有する標準コイル層と、前記小コイルを有する小コイル層とが、前記小コイルの開口部が前記標準コイルの開口部に包含されるように積層され、表層が、前記標準コイル層になっているアンテナである。【００１１】
本技術の電子機器は、開口部が所定のサイズのコイルである１以上の標準コイルと、開口部が、前記標準コイルより小さいサイズのコイルである１以上の小コイルとが電気的に接続され、前記標準コイルを有する標準コイル層と、前記小コイルを有する小コイル層とが、前記小コイルの開口部が前記標準コイルの開口部に包含されるように積層され、表層が、前記標準コイル層になっているアンテナと、前記アンテナを用いた無線通信を行うための信号処理を行う信号処理部とを備える電子機器である。【００１２】
本技術においては、開口部が所定のサイズのコイルである１以上の標準コイルと、開口部が、前記標準コイルより小さいサイズのコイルである１以上の小コイルとが電気的に接続され、前記標準コイルを有する標準コイル層と、前記小コイルを有する小コイル層とが、前記小コイルの開口部が前記標準コイルの開口部に包含されるように積層されている。そして、表層は、前記標準コイル層になっている。
【発明の効果】
【００１３】
本技術によれば、アンテナの小型化を図ることができる。【００１４】
なお、本明細書に記載された効果は、あくまで例示であり、本技術の効果は、本明細書に記載された効果に限定されるものではなく、付加的な効果があってもよい。
【図面の簡単な説明】
【００１５】
【図１】本技術を適用した通信システムの一実施の形態の構成例を示す図である。
【図２】非接触通信装置１１の電気的な構成例を示すブロック図である。
【図３】非接触通信装置１２の電気的な構成例を示すブロック図である。
【図４】R/W１１のアンテナ部２１の構成例を示す平面図である。
【図５】RFタグ１２の外観の構成例の概略を示す斜視図である。
【図６】RFタグ１２のアンテナ部４１の構成例の概略を示す図である。
【図７】RFタグ１２のアンテナ部４１の他の構成例の概略を示す図である。
【図８】標準コイル層の構成例の概要を示す平面図である。
【図９】小コイル層の構成例の概要を示す平面図である。
【図１０】アンテナ部４１としての多層基板の第１層ないし第６層それぞれの構成例を示す平面図である。
【図１１】R/W１１（のアンテナ部２１）で観測される、RFタグ１２からの変調信号の電圧振幅を測定するシミュレーションのシミュレーション結果を示す図である。
【図１２】混合積層アンテナの層の他の構成例の概要を示す平面図である。
【図１３】混合積層アンテナの第１の他の構成例を示す、混合積層アンテナの各層の平面図である。
【図１４】混合積層アンテナの第２の他の構成例を示す、混合積層アンテナの各層の平面図である。
【図１５】混合積層アンテナの第３の他の構成例を示す、混合積層アンテナの各層の平面図である。
【図１６】結合係数を測定する第１の結合係数測定シミュレーションの結果を示す図である。
【図１７】結合係数を測定する第２の結合係数測定シミュレーションの結果を示す図である。
【図１８】結合係数を測定する第３の結合係数測定シミュレーションの結果を示す図である。
【図１９】結合係数を測定する第４の結合係数測定シミュレーションの結果を示す図である。
【図２０】結合係数を測定する第５の結合係数測定シミュレーションの結果を示す図である。
【図２１】結合係数を測定する第６の結合係数測定シミュレーションの結果を示す図である。
【図２２】結合係数を測定する第７の結合係数測定シミュレーションの結果を示す図である。
【図２３】通信システムを適用した電子機器システムの一実施の形態の構成例を示すブロック図である。
【図２４】電子機器１１０及び１２０の具体例を説明する図である。
【発明を実施するための形態】
【００１６】
＜本技術を適用した通信システムの一実施の形態＞
【００１７】
図１は、本技術を適用した通信システム（システムとは、複数の装置が論理的に集合した物をいい、各構成の装置が同一筐体中にあるか否かは、問わない）の一実施の形態の構成例を示す図である。
【００１８】
図１において、通信システムは、非接触通信を行う非接触通信装置１１と１２とを有する。
【００１９】
なお、図１の実施の形態では、説明を簡単にするために、非接触通信装置１１は、自身がRF(Radio Frequency)信号を出力し、そのRF信号を変調することによりデータを送信するイニシエータとしてのみ機能し、非接触通信装置１２は、イニシエータが出力するRF信号を負荷変調することによりデータを送信するターゲットとしてのみ機能することとする。
【００２０】
イニシエータである非接触通信装置１１は、例えば、R/Wであり、ターゲットである非接触通信装置１２は、例えば、RFタグである。
【００２１】
図２は、R/Wである図１の非接触通信装置１１の電気的な構成例を示すブロック図である。
【００２２】
アンテナ部２１は、コイル等で構成され、コイルに流れる電流が変化することで、RF信号を出力する。また、アンテナ部２１としてのコイルを通る（コイルに交差する）磁束が変化することで、アンテナ部２１に電流が流れる。
【００２３】
受信部２２は、アンテナ部２１に流れる電流を受信し、復調部２３に出力する。
【００２４】
復調部２３は、受信部２２から供給される信号を復調（例えば、ASK(Amplitude Shift Keying)復調）し、その結果得られる復調信号を、デコード部２４に供給する。
【００２５】
デコード部２４は、復調部２３から供給される復調信号としての、例えばマンチェスタ符号などをデコードし、そのデコードの結果得られるデータを、データ処理部２５に供給する。
【００２６】
データ処理部２５は、デコード部２４から供給されるデータに基づき、所定の処理を行う。また、データ処理部２５は、非接触通信装置１２等の他の装置に送信すべきデータを、エンコード部２６に供給する。
【００２７】
エンコード部２６は、データ処理部２５から供給されるデータを、例えば、マンチェスタ符号などにエンコードし、変調部２８に出力する。
【００２８】
RF信号出力部２７は、アンテナ部２１から、所定の単一の周波数fcの搬送波（RF信号）を放射させるための電流を、アンテナ部２１に流す。
【００２９】
変調部２８は、RF信号出力部２７がアンテナ部２１に流す電流としての搬送波を、エンコード部２６から供給される信号にしたがって変調する。これにより、アンテナ部２１からは、データ処理部２５がエンコード部２６に出力したデータ（をエンコードしたマンチェスタ符号）に従って搬送波を変調した変調信号としてのRF信号が放射される。
【００３０】
ここで、変調部２８における変調方式としては、例えば、ASK(Amplitude Shift Keying)や、PSK(Phase Shift Keying)，QAM(Quadrature Amplitude Modulation)その他のディジタル変調方式を採用することができる。また、ASK等の振幅が変調される変調方式を採用する場合には、振幅の変調度としては、例えば、8％から30％、50％、100％その他の好適な値を選択することができる。
【００３１】
制御部２９は、非接触通信装置１１を構成する各ブロックの制御等を行う。すなわち、制御部２９は、例えば、CPU(Central Processing Unit)２９Ａや、EEPROM(Electrically and Erasable Programmable Read Only Memory)２９Ｂ、その他図示せぬRAM(Random Access Memory)などで構成される。CPU２９Ａは、EEPROM２９Ｂに記憶されているプログラムを実行し、これにより、非接触通信装置１１を構成する各ブロックの制御、その他の各種の処理を行う。EEPROM２９Ｂは、CPU２９Ａが実行すべきプログラムや、CPU２９Ａの動作上必要なデータを記憶する。
【００３２】
なお、CPU２９Ａがプログラムを実行することにより行う一連の処理は、CPU２９Ａに代えて専用のハードウェアを設けて、その専用のハードウェアによって行うことが可能である。また、CPU２９Ａに実行させるプログラムは、EEPROM２９Ｂにあらかじめインストールしておく他、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体に、一時的あるいは永続的に格納（記録）し、いわゆるパッケージソフトウエアとして提供することができる。さらに、プログラムは、近接通信等によって、非接触通信装置１１に送信し、EEPROM２９Ｂにインストールすることができる。
【００３３】
電源部３０は、非接触通信装置１１を構成する各ブロックに、必要な電源を供給する。
【００３４】
なお、図２では、制御部２９が非接触通信装置１１を構成する各ブロックを制御することを表す線の図示と、電源部３０が非接触通信装置１１を構成する各ブロックに電源を供給することを表す線の図示は、図が煩雑になるため、省略してある。
【００３５】
また、デコード部２４及びエンコード部２６では、マンチェスタ符号以外の、例えば、モディファイドミラーや、NRZ(Non Return to Zero)その他の任意の符号を処理するようにすることができる。
【００３６】
以上のように構成される非接触通信装置１１では、制御部２９が、非接触通信装置１１の各ブロックを制御し、これにより、非接触通信装置１１は、イニシエータであるR/Wとして機能する。
【００３７】
すなわち、R/Wである非接触通信装置１１（以下、R/W１１とも記載する）では、データ（フレーム）を送信する場合、RF信号出力部２７が、アンテナ部２１から、所定の単一の周波数fcの搬送波を放射させるための電流を、アンテナ部２１に流し、これにより、アンテナ部２１からは、搬送波（無変調波）であるRF信号が放射される。
【００３８】
また、R/W１１では、データ処理部２５が、ターゲットに送信すべきデータを、エンコード部２６に供給し、エンコード部２６は、データ処理部２５から供給されるデータをマンチェスタ符号にエンコードし、変調部２８に出力する。変調部２８は、RF信号出力部２７がアンテナ部２１に流す電流としての搬送波を、エンコード部２６から供給される信号にしたがって変調する。これにより、アンテナ部２１からは、データ処理部２５がエンコード部２６に出力したデータにしたがって搬送波を変調したRF信号が放射され、ターゲットにデータが送信される。
【００３９】
一方、R/W１１において、ターゲットが負荷変調によって送信してくるデータ（フレーム）を受信する場合、受信部２２が、ターゲットの負荷変調によって変化する、アンテナ部２１上の電流に対応する信号を、復調部２３に出力する。復調部２３は、受信部２２から供給される信号を復調し、デコード部２４に供給する。デコード部２４は、復調部２３から供給される信号としてのマンチェスタ符号などをデコードし、そのデコードの結果得られるデータを、データ処理部２５に供給する。データ処理部２５は、デコード部２４から供給されるデータに基づき、所定の処理を行う。
【００４０】
図３は、RFタグである図１の非接触通信装置１２の電気的な構成例を示すブロック図である。
【００４１】
図３において、非接触通信装置１２は、IC（ベア）チップ４０とアンテナ部４１とを有する。
【００４２】
ICチップ４０は、受信部４２、復調部４３、デコード部４４、データ処理部４５、エンコード部４６、負荷変調部４７、電源部４８、及び、制御部４９を有し、アンテナ部４１を用いた無線通信を行うための信号処理を行う。
【００４３】
アンテナ部４１は、コイル等で構成され、コイルに流れる電流が変化することで、RF信号を出力する。また、アンテナ部４１としてのコイルを通る磁束が変化することで、アンテナ部４１に電流が流れる。
【００４４】
受信部４２は、アンテナ部４１に流れる電流を受信し、復調部４３に出力する。
【００４５】
復調部４３は、受信部４２から供給される信号をASK復調等し、デコード部４４に供給する。
【００４６】
デコード部４４は、復調部４３から供給される信号としての、例えばマンチェスタ符号などをデコードし、そのデコードの結果得られるデータを、データ処理部４５に供給する。
【００４７】
データ処理部４５は、デコード部４４から供給されるデータに基づき、所定の処理を行う。また、データ処理部４５は、非接触通信装置１１等の他の装置に送信すべきデータを、エンコード部４６に供給する。
【００４８】
エンコード部４６は、データ処理部４５から供給されるデータを、例えば、マンチェスタ符号などにエンコードし、負荷変調部４７に出力する。
【００４９】
負荷変調部４７は、外部からアンテナ部４１としてのコイルを見たときのインピーダンスを、エンコード部４６から供給される信号にしたがって変化させる。他の装置が搬送波としてのRF信号を出力することにより、アンテナ部４１の周囲にRFフィールド（磁界）が形成されている場合、アンテナ部４１としてのコイルを見たときのインピーダンスが変化することにより、アンテナ部４１の周囲のRFフィールドも変化する。これにより、他の装置が出力しているRF信号としての搬送波が、エンコード部４６から供給される信号に従って変調（負荷変調）され、データ処理部４５がエンコード部４６に出力したデータが、RF信号を出力している他の装置に送信される。
【００５０】
ここで、負荷変調部４７における変調方式としては、図２の変調部２８と同様に、ASKや、PSK，QAM等を採用することができる。さらに、振幅が変調される変調方式については、負荷であるインピーダンスの変化量を調節することにより、RF信号としての搬送波に対する変調振幅は好適な値とすることができる。
【００５１】
電源部４８は、アンテナ部４１の周囲に形成されたRFフィールドによってアンテナ部４１に流れる電流から電源を得て、非接触通信装置１２を構成する各ブロックに電源を供給する。
【００５２】
制御部４９は、非接触通信装置１２を構成する各ブロックの制御等を行う。すなわち、制御部４９は、例えば、CPU４９Ａや、EEPROM４９Ｂ、その他図示せぬRAMなどで構成される。CPU４９Ａは、EEPROM４９Ｂに記憶されているプログラムを実行し、これにより、非接触通信装置１２を構成する各ブロックの制御、その他の各種の処理を行う。EEPROM４９Ｂは、CPU４９Ａが実行すべきプログラムや、CPU４９Ａの動作上必要なデータを記憶する。
【００５３】
ここで、CPU４９Ａがプログラムを実行することにより行う一連の処理は、CPU４９Ａに代えて専用のハードウェアを設けて、その専用のハードウェアによって行うことが可能である。また、CPU４９Ａに実行させるプログラムは、EEPROM４９Ｂにあらかじめインストールしておく他、フレキシブルディスク、CD-ROM，MOディスク，DVD、磁気ディスク、半導体メモリなどのリムーバブル記録媒体に、一時的あるいは永続的に格納（記録）し、パッケージソフトウエアとして提供することができる。さらに、プログラムは、近接通信等によって、非接触通信装置１２に送信し、EEPROM４９Ｂにインストールすることができる。
【００５４】
なお、図３では、制御部４９が非接触通信装置１２を構成する各ブロックを制御することを表す線の図示と、電源部４８が非接触通信装置１２を構成する各ブロックに電源を供給することを表す線の図示は、図が煩雑になるため、省略してある。
【００５５】
また、図３では、電源部４８において、アンテナ部４１に流れる電流から電源を得るようにしたが、その他、例えば、非接触通信装置１２には、電池（バッテリ）を内蔵させ、その電池から、非接触通信装置１２を構成する各ブロックに電源を供給することもできる。
【００５６】
さらに、デコード部４４及びエンコード部４６では、図２のデコード部２４及びエンコード部２６の場合と同様に、マンチェスタ符号以外の、例えば、モディファイドミラーや、NRZその他の任意の符号を処理するようにすることができる。
【００５７】
以上のように構成される非接触通信装置１２では、制御部４９が、非接触通信装置１２の各ブロックを制御し、これにより、ターゲットとして機能する。
【００５８】
すなわち、RFタグである非接触通信装置１２（以下、RFタグ１２ともいう）では、データ（フレーム）を送信する場合、データ処理部４５が、イニシエータに送信すべきデータを、エンコード部４６に供給し、エンコード部４６は、データ処理部４５から供給されるデータをマンチェスタ符号にエンコードし、負荷変調部４７に出力する。負荷変調部４７は、外部からアンテナ部４１としてのコイルを見たときのインピーダンスを、エンコード部４６から供給される信号に従って変化させる。
【００５９】
このとき、RFタグ１２が、R/W１１に近接しており、R/W１１が、搬送波としてのRF信号を出力することにより、アンテナ部４１の周囲にRFフィールドを形成していれば、アンテナ部４１としてのコイルを見たときのインピーダンスが変化することにより、アンテナ部４１の周囲のRFフィールドも変化する。これにより、R/W１１が出力しているRF信号が、エンコード部４６から供給される信号に従って変調（負荷変調）され、データ処理部４５がエンコード部４６に出力したデータが、RF信号を出力しているR/W１１に送信される。
【００６０】
一方、RFタグ１２において、R/W１１が、自身が出力している搬送波としてのRF信号を変調することにより送信してくるデータ（フレーム）を受信する場合、受信部４２が、そのデータによって変調されたRF信号に応じてアンテナ部４１に流れる電流に対応する信号を、復調部４３に出力する。復調部４３は、受信部４２から供給される信号を復調し、デコード部４４に供給する。デコード部４４は、復調部４３から供給される信号としてのマンチェスタ符号などをデコードし、そのデコードの結果得られるデータを、データ処理部４５に供給する。データ処理部４５は、デコード部４４から供給されるデータに基づき、所定の処理を行う。
【００６１】
＜R/W１１のアンテナ部２１の構成例＞
【００６２】
図４は、図２のR/W１１のアンテナ部２１の構成例を示す平面図である。
【００６３】
図４のアンテナ部２１では、平板形状の基板上に、金属線が略円形状を形成するように巻回されることにより、開口部が略円形状のコイルが形成されている。
【００６４】
R/W１１のアンテナ部２１としてのコイルには、例えば、NFC(Near Field Communication)フォーラムで規定されているセカンドウェーブのアナログテストの評価仕様を満たすコイルを採用することができる。
【００６５】
図４のアンテナ部２１としてのコイルは、上述の評価仕様を満たすコイルであり、金属線が所定の箇所で交差するように略4ターンだけ巻回され、直径が略70mmになっている。
【００６６】
＜RFタグ１２の外観の構成例＞
【００６７】
図５は、図３のRFタグ１２の外観の構成例の概略を示す斜視図である。
【００６８】
RFタグ１２は、IC（ベア）チップ４０が、アンテナ部４１としての略平板形状の多層基板上に実装されることにより構成される。
【００６９】
＜RFタグ１２のアンテナ部４１の構成例＞
【００７０】
図６は、図３のRFタグ１２のアンテナ部４１の構成例の概略を示す図である。
【００７１】
すなわち、図６のＡは、アンテナ部４１の構成例の概略を示す平面図であり、図６のＢは、図６のＡのアンテナ部４１（の中央部分）を水平方向に切断したときの断面図である。
【００７２】
アンテナ部４１は、例えば、標準コイルを有する（標準コイルが形成された）標準コイル層と、小コイルを有する（小コイルが形成された）小コイル層とが、小コイルの開口部が標準コイルの開口部に包含されるように積層された、略平板形状の多層基板で構成される。
【００７３】
ここで、標準コイルとは、開口部が所定のサイズのコイルであり、小コイルとは、開口部が、標準コイルより小さいサイズのコイルである。
【００７４】
標準コイル（の開口部）のサイズとしては、例えば、標準コイルとなる金属線を、アンテナ部４１としての多層基板上に巻回するときに、開口部の面積をなるべく大きくするサイズ等を採用することができる。
【００７５】
図６では、アンテナ部４１としての多層基板が、略平板形状をしており、その多層基板の形状に応じて、標準コイル（の開口部）の形状は、略矩形状になっている。
【００７６】
また、図６では、小コイルも、標準コイルと同様に、略矩形状になっている。
【００７７】
なお、略矩形状の標準コイル、及び、小コイルについては、矩形の角の部分に、いわゆる、アールを付すこともできるし、付さないこともできる。
【００７８】
また、標準コイル、及び、小コイルの形状としては、略矩形状の他、例えば、略円形状や略楕円形状、その他の任意の形状を採用することができる。
【００７９】
さらに、標準コイルの形状と、小コイルの形状とは、同一の形状である必要はなく、異なる形状であってもよい。
【００８０】
本実施の形態では、略矩形状の多層基板の層である標準コイル層の重心（略矩形状の多層基板の層の対角線どうしの交点）と、標準コイルの略矩形状の開口部の重心とが一致するように、標準コイル層に、標準コイルが形成されている。
【００８１】
同様に、略矩形状の多層基板の層である小コイル層の重心と、小コイルの略矩形状の開口部の重心とが一致するように、小コイル層に、小コイルが形成されている。
【００８２】
そして、標準コイル層と小コイル層とが、重心が一致するように積層されており、そのため、小コイルの開口部は、標準コイルの開口部に包含される。
【００８３】
図６では、アンテナ部４１としての多層基板は、第１層ないし第８層の８層の基板になっている。
【００８４】
ここで、アンテナ部４１としての平板形状の多層基板の、ICチップ４０（図６）が配置される面側を、上側とするとともに、上側と対向する面側を下側とし、最も下側の層を、最下位層である第１層とするとともに、最も上側の層を、最上位層とする。図６では、最上位層は、第８層である。
【００８５】
図６において、第１層、第２層、第４層、及び、第６層は、標準コイルを有する標準コイル層になっており、第３層、及び、第５層は、小コイルを有する小コイル層になっている。したがって、第２層ないし第６層の５層に注目すると、その５層においては、標準コイル層と小コイル層とが交互に積層されている。
【００８６】
第７層は、部品や配線等がない空の層になっており、第８層は、ICチップ４０と、アンテナ部４１や外部とを接続する配線が形成された配線層になっている。
【００８７】
なお、図６では（後述する図７でも同様）、図示を簡単にするために、矩形状の配線を図示してあるが、実際には、所定のパターンの配線が、第８層に形成される。
【００８８】
また、図６のＡは、アンテナ部４１を上側から見た平面図であり、第１層ないし第６層の標準コイル、及び、小コイルは、アンテナ部４１の上側からは、直接的には見えない。
【００８９】
但し、本実施の形態では、アンテナ部４１としての多層基板は、例えば、多少の透明度がある材料を用いて形成されており、最下位層や、最上位層又は最下位層に近い層に形成された標準コイルや小コイルは、図６のＡに点線で示すように、影として透けて見える。
【００９０】
図６のアンテナ部４１としての多層基板において、標準コイルが形成された標準コイル層であるか、又は、小コイルが形成された小コイル層である層は、第１層ないし第６層の６層であり、したがって、図６のアンテナ部４１は、実質的に、６個のコイル（標準コイル、小コイル）が積層されて構成されている。
【００９１】
すなわち、アンテナ部４１の第１層ないし第６層が、RFタグ１２のアンテナとして機能する。
【００９２】
以上のように、アンテナ部４１のうちの、RFタグ１２のアンテナとなるコイル（以下、アンテナコイルともいう）として機能する層のうちの、最下位の層と最上位の層を、アンテナコイルの表層ともいう。
【００９３】
図６のアンテナ部４１については、第１層及び第６層が、アンテナコイルの表層である。
【００９４】
アンテナ部４１としての多層基板の各層には、ビア（例えば、貫通ビア）が形成されており、アンテナ部４１としての多層基板の各層は、ビアを介して電気的に接続することができる。
【００９５】
第１層ないし第６層の各層の標準コイル又は小コイルは、ビアを介して、第１層ないし第６層の順で、直列に接続され、１個のアンテナコイルを構成している。
【００９６】
アンテナコイルは、以上のように、１以上の標準コイルと、１以上の小コイルとが電気的に接続され、標準コイル（標準コイル層）と、小コイル（小コイル層）とが、小コイルの開口部が標準コイルの開口部に包含されるように積層されて構成されており、表層が、標準コイル（標準コイル層）になっている。
【００９７】
なお、アンテナ部４１としての多層基板の各層の厚みは、例えば、約100μm程度とし、各層の形成される標準コイルや小コイルを構成する金属線の厚みは、例えば、約18μm程度とすることができる。この場合、標準コイル又は小コイルが形成された１層の厚みは、約120μm程度となり、第１層ないし第８層で構成される多層基板の厚みは、約1mm程度となる。
【００９８】
図７は、図３のRFタグ１２のアンテナ部４１の他の構成例の概略を示す図である。
【００９９】
すなわち、図７のＡは、アンテナ部４１の他の構成例の概略を示す平面図であり、図７のＢは、図６の場合と同様に、図７のＡのアンテナ部４１を水平方向に切断したときの断面図である。
【０１００】
図６では、アンテナ部４１としての多層基板が、８層の多層基板であったが、図７では、アンテナ部４１としての多層基板が、第１層ないし第６層の６層の多層基板になっている。さらに、図６では、配線が、最上位層である第８層に形成されていたが、図７では、配線が、最上位層である第６層に形成されている。
【０１０１】
図７のアンテナ４１としての多層基板は、以上の点を除き、図６の場合と同様に構成されている。
【０１０２】
すなわち、図７でも、図６と同様に、第１層、第２層、第４層、及び、第６層は、標準コイルを有する標準コイル層になっており、第３層、及び、第５層は、小コイルを有する小コイル層になっている。したがって、第１層ないし第６層が、アンテナコイルとして機能する層であり、表層である第１層及び第６層は、標準コイル層になっている。
【０１０３】
但し、図７では、標準コイル層である第６層には、標準コイルの他、配線が形成されている。
【０１０４】
図７において、第６層の配線は、標準コイルの開口部内に形成されており、したがって、標準コイル（の開口部）のサイズとして、標準コイルとなる金属線を、アンテナ部４１としての多層基板上に巻回するときに、開口部の面積をなるべく大きくするサイズを採用することにより、第６層に標準コイルとともに形成される配線の自由度を大きくすることができる。
【０１０５】
なお、図７のＡは、アンテナ部４１を上側から見た平面図であり、第６層の標準コイル、及び、配線は、アンテナ部４１の上側から、直接的に見えるが、第６層以外の層に構成されている小コイルは、アンテナ部４１の上側からは、直接的には見えない。
【０１０６】
但し、本実施の形態では、図６で説明したように、アンテナ部４１としての多層基板は、例えば、多少の透明度がある材料を用いて形成されており、第６層以外の層に構成されている小コイルは、第６層の配線によって隠されない限り、図７のＡに点線で示すように、影として透けて見える。
【０１０７】
図８は、標準コイル層の構成例の概要を示す平面図である。
【０１０８】
標準コイル層に形成される標準コイルとしては、図８に示すように、開口部（の横×縦）が略19mm×14mmの略矩形状のコイルである、例えば、開口部が18.8mm×13.8mmの略矩形状のコイルを採用することができる。
【０１０９】
なお、本明細書では、説明の便宜上、コイルの開口部のサイズをいうときには、コイルを構成する金属線の線幅（径）を考慮しない（金属線の線幅を0とする）。したがって、例えば、開口部が18.8mm×13.8mmの略矩形状のコイルとは、外形寸法が18.8mm×13.8mmの略矩形状のコイルを意味する。
【０１１０】
標準コイルは、例えば、標準コイル層の重心と、標準コイルの開口部の重心とが一致するように、標準コイル層上に形成されている。
【０１１１】
図９は、小コイル層の構成例の概要を示す平面図である。
【０１１２】
小コイル層に形成される小コイルとしては、図９に示すように、開口部が略17mm×12mmの略矩形状のコイルである、例えば、開口部が16.8mm×11.8mmの略矩形状のコイルを採用することができる。
【０１１３】
小コイルは、例えば、小コイル層の重心と、小コイルの開口部の重心とが一致するように、小コイル層上に形成されている。
【０１１４】
図８の標準コイル層と、図９の小コイル層とを、図６で説明したように、標準コイル層及び小コイル層の重心が一致するように積層することにより、標準コイル層と小コイル層とは、標準コイルを構成する金属線と、小コイルを構成する金属線との、開口部を含む面上の距離が、略1mmとなるように積層される。
【０１１５】
すなわち、図６のＡ及び図７のＡの平面図において、標準コイルを構成する金属線と、小コイルを構成する金属線との間の距離を、標準コイルと小コイルとの線間隔ということとすると、図８の標準コイル層と図９の小コイル層とを採用するアンテナ部４１では、線間隔は、1mmになる。
【０１１６】
ここで、線間隔は、正確には、標準コイル及び小コイルを構成する金属線（の断面）の中心どうしの距離である。したがって、例えば、標準コイル及び小コイルを構成する金属線の線幅（径）が、例えば、0.3mmであるとすると、線間隔が1mmの金属線どうしのすき間の距離（金属線どうしの端の間の距離）は、0.7mmになる。
【０１１７】
なお、本実施の形態では、アンテナ部４１としての多層基板の各層の標準コイル又は小コイルのターン数は、略１ターンである。
【０１１８】
すなわち、標準コイル層については、金属線を、略１回だけ巻回した標準コイルが形成される。同様に、小コイル層についても、金属線を、略１回だけ巻回した小コイルが形成される。
【０１１９】
但し、標準コイル層の標準コイルとしては、金属線を、略２回等の、略１回を超える回数だけ巻回したコイルを採用することができる。小コイル層の小コイルとしても、同様に、金属線を、略１回を超える回数だけ巻回したコイルを採用することができる。
【０１２０】
なお、標準コイルは、図８に示したサイズのコイルに限定されるものではなく、小コイルも、図９に示したサイズのコイルに限定されるものではない。
【０１２１】
また、図８の標準コイルの開口部と、図９の小コイルの開口部との面積比は、略４：３になるが、すなわち、図９の小コイルの開口部の面積は、図８の標準コイルの開口部の面積の略７５％であるが、小コイルとしては、開口部の面積が、標準コイルの開口部の面積より小さい範囲で、標準コイルの開口部の面積の略７５％より大又は小のコイルを採用することができる。
【０１２２】
さらに、アンテナ部４１は、標準コイル層と小コイル層との２種類だけでなく、その標準コイル層と小コイル層に、例えば、開口部が小コイルより小さいサイズのコイルである極小コイルが形成された極小コイル層を加えた３種類の層を、表層が標準コイル層になるように積層することにより構成することができる。
【０１２３】
図１０は、図６及び図７に示した、第１層ないし第６層がアンテナコイルとして機能するアンテナ部４１としての多層基板の、その第１層ないし第６層それぞれの構成例を示す平面図である。
【０１２４】
第１層ないし第６層には、同一の位置に、ビアv1ないしv7が形成されている。
【０１２５】
第１層には、ターン数が略１ターンの標準コイルが形成されており、その標準コイルの一端は、ビアv1に接続され、他端は、ビアv7に接続されている。
【０１２６】
そして、第１層では、ビアv7から、標準コイルを右回りに回って、ビアv1に到達する。
【０１２７】
第２層には、ターン数が略１ターンの標準コイルが形成されており、その標準コイルの一端は、ビアv1に接続され、他端は、ビアv2に接続されている。したがって、ビアv1を介して、第１層の標準コイルの一端と、第２層の標準コイルの一端とが接続される。
【０１２８】
そして、第２層では、ビアv1から、標準コイルを右回りに回って、ビアv2に到達する。
【０１２９】
第３層には、ターン数が略１ターンの小コイルが形成されており、その小コイルの一端は、ビアv2に接続され、他端は、ビアv3に接続されている。したがって、ビアv2を介して、第２層の標準コイルの他端と、第３層の小コイルの一端とが接続される。
【０１３０】
そして、第３層では、ビアv2から、小コイルを右回りに回って、ビアv3に到達する。
【０１３１】
第４層には、ターン数が略１ターンの標準コイルが形成されており、その標準コイルの一端は、ビアv3に接続され、他端は、ビアv4に接続されている。したがって、ビアv3を介して、第３層の小コイルの他端と、第４層の標準コイルの一端とが接続される。
【０１３２】
そして、第４層では、ビアv3から、標準コイルを右回りに回って、ビアv4に到達する。
【０１３３】
第５層には、ターン数が略１ターンの小コイルが形成されており、その小コイルの一端は、ビアv4に接続され、他端は、ビアv5に接続されている。したがって、ビアv4を介して、第４層の標準コイルの他端と、第５層の小コイルの一端とが接続される。
【０１３４】
そして、第５層では、ビアv4から、小コイルを右回りに回って、ビアv5に到達する。
【０１３５】
第６層には、ターン数が略１ターンの標準コイルが形成されており、その標準コイルの一端は、ビアv5に接続され、他端は、ビアv6に接続されている。したがって、ビアv5を介して、第５層の小コイルの他端と、第６層の標準コイルの一端とが接続される。
【０１３６】
そして、第６層では、ビアv5から、標準コイルを右回りに回って、ビアv6到達する。
【０１３７】
したがって、第１層ないし第６層を、ビアv6及びv7から見た場合、第１層ないし第６層の標準コイル及び小コイルは、ビアv7から、右回りに巻回して、ビアv6に到達する１個のコイル（アンテナコイル）、すなわち、ビアv6及びv7を、それぞれ一端及び他端とするコイルを形成する。
【０１３８】
なお、標準コイルや小コイルのターン数が、略１ターンであるのは、すなわち、ターン数が、第１層のように、１ターンに幾分か届かない場合や、第６層のように、１ターンを幾分か超える場合があるのは、各層を接続するビアv1ないしv7を設ける位置に起因する。
【０１３９】
また、第１層のように、１ターンに幾分か届かない場合や、第６層にように、１ターンを幾分か超える場合のコイル（標準コイル）の開口部とは、金属線を、１ターンさせたとしたならば、その１ターンの金属線で形成されるであろう閉領域を意味する。
【０１４０】
さらに、図１０では、標準コイルや小コイルを、右回りに回っていった場合に、下層から上層に到達するように、ビアv1ないしv7、並びに、標準コイル及び小コイルを形成してあるが、ビアv1ないしv7、並びに、標準コイル及び小コイルは、標準コイルや小コイルを、左回りに回っていった場合に、下層から上層に到達するように構成することができる。
【０１４１】
図６ないし図１０で説明したように、１以上の標準コイルとしての４個の標準コイルと、１以上の小コイルとしての２個の小コイルとを、表層が標準コイルになるように積層することにより、アンテナ部４１（アンテナコイル）を構成することで、アンテナ部４１を小型に構成しても、所定の性能を維持すること等ができる。
【０１４２】
すなわち、所定の性能を発揮するアンテナ部４１の小型化を図ること等ができる。
【０１４３】
図１１は、本件発明者が行った、R/W１１（のアンテナ部２１）で観測される、RFタグ１２からの信号の電圧振幅を測定するシミュレーションのシミュレーション結果を示す図である。
【０１４４】
シミュレーションでは、図１０に示した標準コイル（層）と小コイル（層）とを、図６や図７に示したように、いわば混合して積層したアンテナコイル（以下、混合積層アンテナともいう）であって、６層で構成される混合積層アンテナを、アンテナ部４１として用いた場合と、図１０に示した標準コイル（層）のみを積層したアンテナコイル（以下、単純積層アンテナともいう）であって、６層で構成される単純積層アンテナを、アンテナ部４１として用いた場合とのそれぞれの場合について、R/W１１で観測される、RFタグ１２からの信号の電圧振幅を測定した。
【０１４５】
図１１は、R/W１１のアンテナ部２１と、RFタグ１２のアンテナ部４１とが平行配置となるように対向して置き、アンテナ部２１とアンテナ部４１の距離を、0mmと5mmとのそれぞれにしたときに、R/W１１で観測される、RFタグ１２からの信号の電圧振幅を測定した結果を示している。
【０１４６】
図１１において、0mmと5mmの各距離における中央の四角形内の数字は、R/W１１のアンテナ部２１としてのコイル（図４）の開口部の重心と、RFタグ１２のアンテナ部４１としての標準コイル及び小コイルの開口部の重心との間で位置のずれ量がない場合の電圧振幅を表す。すなわち、R/W１１のアンテナ部２１としてのコイルの開口部の重心を原点とし、横方向及び縦方向を、それぞれ、x方向及びy方向とする２次元座標系の座標(x,y)によって、RFタグ１２のアンテナ部４１としての標準コイル及び小コイルの開口部の重心の位置を表すこととすると、中央の四角形内の数字は、(x,y)=(0,0)の場合の、R/W１１で観測される、RFタグ１２からの信号の電圧振幅を表す。
【０１４７】
また、図１１において、中央の四角形から横方向（x方向）、又は、縦方向（y方向）への１つ分の四角形のずれは、それぞれ、平行平面内での5mmの横方向、又は、縦方向の位置のずれを表し、四角形内の数字は、その位置での電圧振幅を表す。したがって、例えば、中央の四角形から、左に２つ分だけずれた四角形内の数字は、RFタグ１２のアンテナ部４１が、R/W１１のアンテナ部２１から、左方向に、10mmだけずれている位置にある場合の、R/W１１で観測される、RFタグ１２からの信号の電圧振幅を表す。
【０１４８】
図１１によれば、R/W１１のアンテナ部２１と、RFタグ１２のアンテナ部４１との位置関係が、どのような位置関係であっても、混合積層アンテナコイルを用いた場合の方が、単純積層アンテナコイルを用いた場合よりも大きな電圧振幅が観測されることを確認することができる。
【０１４９】
以上のように、混合積層アンテナによれば、外形寸法（コイルの開口部を含む平面内の外形寸法）とターン数とが単純積層アンテナと同一であるのにもかかわらず、単純積層アンテナよりも大きな電圧振幅を観測することができる。
【０１５０】
また、本件発明者が行ったシミュレーションによれば、図４に示した、直径が70mmのコイルであるアンテナ部２１を有するR/W１１と、図６ないし図１０に示した、外形寸法が18.8mm×13.8mmの混合積層アンテナをアンテナ部４１として用いたRFタグ１２との通信において、アンテナ部２１の開口部の開口面積と、アンテナ部４１の開口部の開口面積とが大きく異なるにもかかわらず、アンテナ部２１（としてのコイル）と、アンテナ部４１（としてのコイル）との間で、ある程度の結合係数が実現され、R/W１１で観測される、RFタグ１２からの信号の電圧振幅、その他の事項として、NFCフォーラムの規定（仕様）を満たす値が得られることが確認された。
【０１５１】
ここで、R/W１１のアンテナ部２１と、RFタグ１２のアンテナ部４１との間の結合係数kは、トランスを構成するコイルの結合係数のような1.0に近い大きな値に比較して小さい値になる。
【０１５２】
この場合、結合係数kは、アンテナ部２１からの磁束がアンテナ部４１に交差する割合と、アンテナ部４１からの磁束がアンテナ部２１に交差する割合との積の平方根に比例するような値となる。
【０１５３】
かかる、アンテナ部２１と４１との間の結合係数kを大にする方法としては、例えば、直径が70mmのコイルであるアンテナ部２１と同程度の開口面積となるように、アンテナ部４１の開口面積を大にする方法がある。
【０１５４】
しかしながら、アンテナ部４１の開口面積を大にすることは、アンテナ部４１（ひいては、RFタグ１２）の小型化の要請に反する。
【０１５５】
これに対して、混合積層アンテナは、標準コイル（層）の他に、開口面積が標準コイルよりも小さい小コイル（層）が積層されたコイルであるが、本件発明者が行ったシミュレーションによれば、標準コイルのみを積層した単純積層アンテナよりも高性能になるシミュレーション結果が得られた。
【０１５６】
なお、RFタグ１２のアンテナ部４１としての混合積層アンテナは、単純積層アンテナよりも高性能となるが、所望の性能を発揮させるには、R/W１１のアンテナ部２１としてのコイルのターン数その他のパラメータとの関係で、例えば、混合積層アンテナの層数や、ターン数、標準コイルのサイズ、小コイルのサイズ等を調整することが望ましい場合がある。
【０１５７】
＜アンテナ部４１のその他の構成例＞
【０１５８】
図１２は、混合積層アンテナの層の他の構成例の概要を示す平面図である。
【０１５９】
混合積層アンテナの層としては、図８に示した標準コイル層、及び、図９に示した小コイル層の他に、図１２に示すように、標準コイルと小コイルとの両方が形成された層（以下、ダブルコイル層ともいう）を採用することができる。
【０１６０】
図１２のダブルコイル層では、標準コイル、及び、小コイルが、それぞれの開口部の重心と層の重心とが一致するように形成されている。
【０１６１】
なお、ダブルコイル層は、標準コイルを有するから、標準コイル層でもあるということができる。また、ダブルコイル層は、小コイルを有するから、小コイル層でもあるということができる。
【０１６２】
混合積層アンテナの、表層を除く任意の層については、ダブルコイル層を採用することができる。
【０１６３】
また、混合積層アンテナの任意の層については、表層を含め、ダブルコイル層を採用することができる。
【０１６４】
図１３は、混合積層アンテナの第１の他の構成例を示す、混合積層アンテナの各層の平面図である。
【０１６５】
図１３の混合積層アンテナは、下側から、第１層ないし第４層が積層された４層で構成されている。
【０１６６】
図１３の混合積層アンテナにおいて、第１層及び第４層は、（標準コイルのみを有する）標準コイル層になっており、第２層及び第３層は、ダブルコイル層になっている。
【０１６７】
第１層ないし第４層には、同一の位置に、ビアv1,v3,v5,v6、及び、v7が形成されている。
【０１６８】
そして、第１層には、ターン数が略１ターンの標準コイルのみが形成されており、その標準コイルの一端は、ビアv1に接続され、他端は、ビアv7に接続されている。
【０１６９】
第１層では、ビアv7から、標準コイルを右回りに回って、ビアv1に到達する。
【０１７０】
第２層には、ターン数が略１ターンの標準コイル及び小コイルが形成されており、標準コイルの一端は、ビアv1に接続され、他端は、小コイルの一端に接続されている。そして、小コイルの他端は、ビアv3に接続されている。したがって、ビアv1を介して、第１層の標準コイルの一端と、第２層の標準コイルの一端とが接続される。
【０１７１】
第２層では、ビアv1から、標準コイルを右回りに回り、さらに、小コイルを右回りに回って、ビアv3に到達する。
【０１７２】
第３層には、ターン数が略１ターンの標準コイル及び小コイルが形成されており、標準コイルの一端は、ビアv3に接続され、他端は、小コイルの一体に接続されている。そして、小コイルの他端は、ビアv5に接続されている。したがって、ビアv3を介して、第２層の小コイルの他端と、第３層の標準コイルの一端とが接続される。
【０１７３】
第３層では、ビアv3から、標準コイルを右回りに回り、さらに、小コイルを右回りに回って、ビアv5に到達する。
【０１７４】
第４層には、ターン数が略１ターンの標準コイルのみが形成されており、その標準コイルの一端は、ビアv5に接続され、他端は、ビアv6に接続されている。したがって、ビアv5を介して、第３層の小コイルの他端と、第４層の標準コイルの一端とが接続される。
【０１７５】
第４層では、ビアv5から、標準コイルを右回りに回って、ビアv6到達する。
【０１７６】
以上のような第１層ないし第４層が積層された混合積層アンテナを、ビアv6及びv7から見た場合、第１層ないし第４層の標準コイル及び小コイルは、ビアv7から、右回りに巻回して、ビアv6に到達する１個のコイル（アンテナコイル）、すなわち、ビアv6及びv7を、それぞれ一端及び他端とするコイルを形成する。
【０１７７】
いま、混合積層アンテナの層数がa層で、混合積層アンテナとしてのコイル全体のターン数が（略）bターンである場合を、a層bターンということとすると、図１３の混合積層アンテナは、４層６ターンのコイルになっている。
【０１７８】
図１４は、混合積層アンテナの第２の他の構成例を示す、混合積層アンテナの各層の平面図である。
【０１７９】
図１４の混合積層アンテナは、下側から、第１層ないし第３層が積層された３層で構成された、３層３ターンのコイルになっている。
【０１８０】
図１４の混合積層アンテナにおいて、第１層及び第３層は、（標準コイルのみを有する）標準コイル層になっており、第２層は、（小コイルのみを有する）小コイル層になっている。
【０１８１】
第１層ないし第３層には、同一の位置に、ビアv1,v5,v6、及び、v7が形成されている。
【０１８２】
そして、第１層には、ターン数が略１ターンの標準コイルのみが形成されており、その標準コイルの一端は、ビアv1に接続され、他端は、ビアv7に接続されている。
【０１８３】
第１層では、ビアv7から、標準コイルを右回りに回って、ビアv1に到達する。
【０１８４】
第２層には、ターン数が略１ターンの小コイルのみが形成されており、小コイルの一端は、ビアv1に接続され、他端は、ビアv5に接続されている。したがって、ビアv1を介して、第１層の標準コイルの一端と、第２層の小コイルの一端とが接続される。
【０１８５】
第２層では、ビアv1から、小コイルを右回りに回って、ビアv5に到達する。
【０１８６】
第３層には、ターン数が略１ターンの標準コイルのみが形成されており、その標準コイルの一端は、ビアv5に接続され、他端は、ビアv6に接続されている。したがって、ビアv5を介して、第２層の小コイルの他端と、第３層の標準コイルの一端とが接続される。
【０１８７】
第３層では、ビアv5から、小コイルを右回りに回って、ビアv6到達する。
【０１８８】
以上のような第１層ないし第３層が積層された混合積層アンテナを、ビアv6及びv7から見た場合、第１層ないし第３層の標準コイル及び小コイルは、ビアv7から、右回りに巻回して、ビアv6に到達する１個のコイル、すなわち、ビアv6及びv7を、それぞれ一端及び他端とするコイルを形成する。
【０１８９】
図１５は、混合積層アンテナの第３の他の構成例を示す、混合積層アンテナの各層の平面図である。
【０１９０】
図１５の混合積層アンテナは、下側から、第１層ないし第４層が積層された４層で構成された、４層４ターンのコイルになっている。
【０１９１】
図１５の混合積層アンテナにおいて、第１層、第２層、及び第４層は、（標準コイルのみを有する）標準コイル層になっており、第３層は、（小コイルのみを有する）小コイル層になっている。
【０１９２】
第１層ないし第４層には、同一の位置に、ビアv1,v3,v5,v6、及び、v7が形成されている。
【０１９３】
そして、第１層には、ターン数が略１ターンの標準コイルのみが形成されており、その標準コイルの一端は、ビアv1に接続され、他端は、ビアv7に接続されている。
【０１９４】
第１層では、ビアv7から、標準コイルを右回りに回って、ビアv1に到達する。
【０１９５】
第２層には、ターン数が略１ターンの標準コイルのみが形成されており、標準コイルの一端は、ビアv1に接続され、他端は、ビアv3に接続されている。したがって、ビアv1を介して、第１層の標準コイルの一端と、第２層の標準コイルの一端とが接続される。
【０１９６】
第２層では、ビアv1から、標準コイルを右回りに回って、ビアv3に到達する。
【０１９７】
第３層には、ターン数が略１ターンの小コイルのみが形成されており、小コイルの一端は、ビアv3に接続され、他端は、ビアv5に接続されている。したがって、ビアv3を介して、第２層の標準コイルの他端と、第３層の小コイルの一端とが接続される。
【０１９８】
第３層では、ビアv3から、小コイルを右回りに回って、ビアv5に到達する。
【０１９９】
第４層には、ターン数が略１ターンの標準コイルのみが形成されており、その標準コイルの一端は、ビアv5に接続され、他端は、ビアv6に接続されている。したがって、ビアv5を介して、第３層の小コイルの他端と、第４層の標準コイルの一端とが接続される。
【０２００】
第４層では、ビアv5から、小コイルを右回りに回って、ビアv6到達する。
【０２０１】
以上のような第１層ないし第４層が積層された混合積層アンテナを、ビアv6及びv7から見た場合、第１層ないし第４層の標準コイル及び小コイルは、ビアv7から、右回りに巻回して、ビアv6に到達する１個のコイル、すなわち、ビアv6及びv7を、それぞれ一端及び他端とするコイルを形成する。
【０２０２】
図１６は、本件発明者が行った、結合係数を測定する第１の結合係数測定シミュレーションの結果を示す図である。
【０２０３】
第１の結合係数測定シミュレーションは、ターン数が３ターンのコイルを対象として、インダクタンスLと、R/W１１のアンテナ部２１（図４）との結合係数kとを測定した。なお、結合係数kの測定は、その測定の対象のコイルと、R/W１１のアンテナ部２１との距離（z方向）を0mmにして行った。この点、後述する第２ないし第７の結合係数測定シミュレーションでも、同様である。
【０２０４】
結合係数kを測定する対象の３ターンのコイルとしては、３層すべてが標準コイルのみの標準コイル層で構成される単純積層アンテナ、第１層が標準コイルのみの標準コイル層で、第２層が小コイルのみの小コイル層で、第３層が標準コイルのみの標準コイル層で、それぞれ構成される混合積層アンテナ、及び、第１層が標準コイルのみの標準コイル層で、第２層が標準コイルと小コイルのダブルコイル層で、それぞれ構成される混合積層アンテナを採用した。
【０２０５】
ここで、図１６において（後述する図においても同様）、例えば、「大｜大｜大」のうちの「｜」は、層の区切りを表し、「大」は、層が標準コイルのみの標準コイル層であることを表す。また、「｜」で区切られる層は、左側ほど、低い層であり、「｜」で区切られる左端の層は、第１層である。
【０２０６】
したがって、「大｜大｜大」は、第１層が標準コイル層で、第２層が標準コイル層で、第３層が標準コイル層で、それぞれ構成される３層３ターンのコイル（単純積層アンテナ）を表す。
【０２０７】
また、例えば、「大｜小｜大」のうちの「小」は、層が小コイルのみの小コイル層であることを表し、例えば、「大｜大＋小」のうちの「大＋小」は、層が、標準コイルと小コイルとを有するダブルコイル層であることを表す。
【０２０８】
したがって、「大｜小｜大」は、第１層が標準コイル層で、第２層が小コイル層で、第３層が標準コイル層で、それぞれ構成される３層３ターンのコイル（混合積層アンテナ）を表す。また、「大｜大＋小」は、第１層が標準コイル層で、第２層がダブルコイル層で、それぞれ構成される２層３ターンのコイル（混合積層アンテナ）を表す。
【０２０９】
なお、シミュレーションにおいて、標準コイル層の標準コイル、小コイル層の小コイル、ダブルコイル層の標準コイル、及び、ダブルコイル層の小コイルのターン数は、いずれも（略）１ターンである。
【０２１０】
したがって、図１６の「大｜大｜大」、「大｜小｜大」、「大｜大＋小」は、いずれも、３ターンのコイルを表す。
【０２１１】
第１の結合係数測定シミュレーションによれば、ターン数が３ターンのコイルについては、小コイルを有しない「大｜大｜大」よりも、小コイルが含まれる「大｜小｜大」や、「大｜大＋小」の方が、結合係数kが高くなることを確認することができる。
【０２１２】
さらに、第１の結合係数測定シミュレーションによれば、小コイルを含む「大｜小｜大」、及び、「大｜大＋小」については、表層が標準コイルのみ標準コイル層になっている「大｜小｜大」の方が、表層がダブルコイル層になっている「大｜大＋小」よりも、結合係数kが高くなることを確認することができる。
【０２１３】
図１７は、本件発明者が行った、結合係数を測定する第２の結合係数測定シミュレーションの結果を示す図である。
【０２１４】
第２の結合係数測定シミュレーションは、ターン数が４ターンのコイルを対象として、インダクタンスLと、R/W１１のアンテナ部２１（図４）との結合係数kとを測定した。
【０２１５】
結合係数kを測定する対象の４ターンのコイルとしては、「大｜大｜大｜大」、及び、「大｜大＋小｜大」を採用した。
【０２１６】
ここで、「大｜大｜大｜大」は、４層すべてが標準コイルのみの標準コイル層で構成される４層４ターンの単純積層アンテナとしてのコイルを表し、「大｜大＋小｜大」は、第１層が標準コイルのみの標準コイル層で、第２層がダブルコイル層で、第３層が標準コイルのみの標準コイル層で、それぞれ構成される３層４ターンの混合積層アンテナとしてのコイルを表す。
【０２１７】
第２の結合係数測定シミュレーションによれば、ターン数が４ターンのコイルについては、図１６のターン数が３ターンのコイルの場合と同様に、小コイルを有しない「大｜大｜大｜大」よりも、小コイルが含まれる「大｜大＋小｜大」の方が、結合係数kが高くなることを確認することができる。
【０２１８】
図１８は、本件発明者が行った、結合係数を測定する第３の結合係数測定シミュレーションの結果を示す図である。
【０２１９】
第３の結合係数測定シミュレーションは、ターン数が５ターンのコイルを対象として、インダクタンスLと、R/W１１のアンテナ部２１（図４）との結合係数kとを測定した。
【０２２０】
結合係数kを測定する対象の５ターンのコイルとしては、「大｜大｜大｜大｜大」、「大｜大｜小｜大｜大」、「大｜小｜大｜小｜大」、及び、「大｜小｜小｜大｜大」を採用した。
【０２２１】
ここで、「大｜大｜大｜大｜大」は、５層すべてが標準コイルのみの標準コイル層で構成される５層５ターン単純積層アンテナとしてのコイルを表し、「大｜大｜小｜大｜大」は、第１層及び第２層が標準コイルのみの標準コイル層で、第３層が小コイルのみの小コイル層で、第４層及び第５層が標準コイルのみの標準コイル層で、それぞれ構成される５層５ターンの混合積層アンテナとしてのコイルを表す。
【０２２２】
また、「大｜小｜大｜小｜大」は、第１層、第３層、及び、第５層が標準コイルのみの標準コイル層で、第２層及び第４層が小コイルのみの小コイル層で、それぞれ構成される５層５ターンの混合積層アンテナとしてのコイルを表し、「大｜小｜小｜大｜大」は、第１層、第４層、及び、第５層が標準コイルのみの標準コイル層で、第２層及び第３層が小コイルのみの小コイル層で、それぞれ構成される５層５ターンの混合積層アンテナとしてのコイルを表す。
【０２２３】
第３の結合係数測定シミュレーションによれば、ターン数が５ターンのコイルについては、図１６のターン数が３ターンのコイルの場合と同様に、小コイルを有しない「大｜大｜大｜大｜大」よりも、小コイルが含まれる「大｜大｜小｜大｜大」や、「大｜小｜大｜小｜大」、「大｜小｜小｜大｜大」の方が、結合係数kが高くなることを確認することができる。
【０２２４】
図１９は、本件発明者が行った、結合係数を測定する第４の結合係数測定シミュレーションの結果を示す図である。
【０２２５】
第４の結合係数測定シミュレーションは、ターン数が６ターンのコイルを対象として、インダクタンスLと、R/W１１のアンテナ部２１（図４）との結合係数kとを測定した。
【０２２６】
結合係数kを測定する対象の６ターンのコイルとしては、「大｜大｜大｜大｜大｜大」、「大｜小｜大｜小｜大｜大」、「大｜小｜大｜小｜大｜小」、及び、「大｜小｜大｜小｜小｜大」を採用した。
【０２２７】
ここで、「大｜大｜大｜大｜大｜大」は、６層すべてが標準コイルのみの標準コイル層で構成される６層６ターンの単純積層アンテナとしてのコイルを表し、「大｜小｜大｜小｜大｜大」は、第１層、第３層、第５層、及び、第６層が標準コイルのみの標準コイル層で、第２層及び第４層が小コイルのみの小コイル層で、それぞれ構成される６層６ターンの混合積層アンテナとしてのコイルを表す。
【０２２８】
また、「大｜小｜大｜小｜大｜小」は、第１層、第３層、及び、第５層が標準コイルのみの標準コイル層で、第２層、第４層、及び、第６層が小コイルのみの小コイル層で、それぞれ構成される６層６ターンの混合積層アンテナとしてのコイルを表し、「大｜小｜大｜小｜小｜大」は、第１層、第３層、及び、第６層が標準コイルのみの標準コイル層で、第２層、第４層、及び、第５層が小コイルのみの小コイル層で、それぞれ構成される６層６ターンの混合積層アンテナとしてのコイルを表す。
【０２２９】
第４の結合係数測定シミュレーションによれば、ターン数が６ターンのコイルについては、図１６のターン数が３ターンのコイルの場合と同様に、小コイルを有しない「大｜大｜大｜大｜大｜大」よりも、小コイルが含まれる「大｜小｜大｜小｜大｜大」や、「大｜小｜大｜小｜大｜小」、「大｜小｜大｜小｜小｜大」の方が、結合係数kが高くなることを確認することができる。
【０２３０】
さらに、小コイルが含まれる「大｜小｜大｜小｜大｜大」、「大｜小｜大｜小｜大｜小」、及び、「大｜小｜大｜小｜小｜大」については、標準コイルのみの標準コイル層が連続する「大｜小｜大｜小｜大｜大」の方が、そのような標準コイル層が連続しない「大｜小｜大｜小｜大｜小」や、「大｜小｜大｜小｜小｜大」よりも、結合係数kが高くなることを確認することができる。
【０２３１】
図２０は、本件発明者が行った、結合係数を測定する第５の結合係数測定シミュレーションの結果を示す図である。
【０２３２】
第５の結合係数測定シミュレーションでは、標準コイルとしては、図８に示した開口部が18.8mm×13.8mmの略矩形状のコイルを採用し、標準コイルと小コイルとの線間隔（標準コイルを構成する金属線と、小コイルを構成する金属線との間の距離）を変えながら、「大｜小｜大｜小｜大｜大」で表される６層６ターンの混合積層アンテナとしてのコイルのインダクタンスLと、R/W１１のアンテナ部２１（図４）との結合係数kとを測定した。
【０２３３】
なお、線間隔が1mmである場合に、小コイルは、図９に示したように、開口部が16.8mm×11.8mmの略矩形状のコイルとなる。したがって、線間隔が1mmより小である場合には、小コイルは、図９に示した場合よりも開口部が大きいコイルになり、線間隔が1mmより大である場合には、小コイルは、図９に示した場合よりも開口部が小さいコイルになる。
【０２３４】
第５の結合係数測定シミュレーションによれば、線間隔が1mmや1.1mmである場合に、他の値の線間隔の場合よりも、結合係数kが高くなることを確認することができる。
【０２３５】
図２１は、本件発明者が行った、結合係数を測定する第６の結合係数測定シミュレーションの結果を示す図である。
【０２３６】
第６の結合係数測定シミュレーションでは、標準コイルとしては、図８の場合より大きい、開口部が25mm×20mmの略矩形状のコイルを採用し、標準コイルと小コイルとの線間隔を変えながら、「大｜小｜大｜小｜大｜大」で表される６層６ターンの混合積層アンテナとしてのコイルのインダクタンスLと、R/W１１のアンテナ部２１（図４）との結合係数kとを測定した。
【０２３７】
第６の結合係数測定シミュレーションによれば、線間隔が1.1mmである場合と2.5mmである場合に、他の値の線間隔の場合よりも、結合係数kが高くなることを確認することができる。
【０２３８】
また、第５及び第６の結合係数測定シミュレーションによれば、標準コイルの開口部が大きい方（R/W１１のアンテナ部２１の開口部の大きさに近い方）が、結合係数kが高くなることを確認することができる。
【０２３９】
図２２は、本件発明者が行った、結合係数を測定する第７の結合係数測定シミュレーションの結果を示す図である。
【０２４０】
第７の結合係数測定シミュレーションは、ターン数が６ターンのコイルを対象として、インダクタンスLと、R/W１１のアンテナ部２１（図４）との結合係数kとを測定した。
【０２４１】
結合係数を測定する対象の６ターンのコイルとしては、「大｜大｜大｜大｜大｜大」、「大｜大＋小｜大＋小｜大」、及び、「大｜小｜極小｜小｜大｜大」を採用した。
【０２４２】
ここで、「大｜大｜大｜大｜大｜大」は、６層すべてが標準コイルのみの標準コイル層で構成される６層６ターンの単純積層アンテナとしてのコイルを表し、「大｜大＋小｜大＋小｜大」は、第１層及び第４層が標準コイルのみの標準コイル層で、第２層及び第３層がダブルコイル層で、それぞれ構成される４層６ターンの混合積層アンテナとしてのコイルを表す。
【０２４３】
また、「大｜小｜極小｜小｜大｜大」は、第１層、第５層、及び、第６層が標準コイルのみの標準コイル層で、第２層及び第４層が小コイルのみの小コイル層で、第３層が、小コイルよりもサイズが小さい極小コイルが形成された層（極小コイル層）で、それぞれ構成される６層６ターンの混合積層アンテナとしてのコイルを表す。
【０２４４】
第７の結合係数測定シミュレーションによれば、ターン数が６ターンのコイルについて、図１６のターン数が３ターンのコイルの場合と同様に、小コイルを有しない「大｜大｜大｜大｜大｜大」よりも、小コイル（や極小コイル）が含まれる「大｜大＋小｜大＋小｜大」や、「大｜小｜極小｜小｜大｜大」の方が、結合係数kが高くなることを確認することができる。
【０２４５】
なお、第７の結合係数測定シミュレーションによれば、小コイル（や極小コイル）が含まれる「大｜大＋小｜大＋小｜大」や、「大｜小｜極小｜小｜大｜大」については、極小コイルを含む「大｜小｜極小｜小｜大｜大」の方が、極小コイルを含まない「大｜大＋小｜大＋小｜大」よりも、僅かではあるが、結合係数kが高くなることを確認することができる。
【０２４６】
＜通信システムの応用例＞
【０２４７】
図２３は、図１の通信システムを適用した電子機器システムの一実施の形態の構成例を示すブロック図である。
【０２４８】
図２３において、電子機器システムは、電子機器１１０及び１２０を有する。
【０２４９】
電子機器１１０及び１２０は、例えば、レコーダや、ディジタルカメラ、テレビジョン受像機（TV）、携帯電話機やタブレット端末等の携帯端末、スピーカやヘッドフォン等の音響出力装置、その他の電子機器であり、通信機能を有している。
【０２５０】
したがって、電子機器１１０と１２０との間では、通信を行うことができる。
【０２５１】
電子機器１１０は、非接触通信装置１１１、無線通信装置１１２、及び、処理部１１３を有する。
【０２５２】
非接触通信装置１１１は、例えば、図１のR/W（非接触通信装置）１１と同様に構成され、後述する非接触通信装置１２１等のRFタグとの間で、イニシエータとして、非接触通信（NFC通信）を行う。したがって、図２３では、非接触通信装置１１１は、例えば、図４に示したNFCフォーラムのセカンドウェーブのアナログテストの評価仕様を満たすコイルをアンテナとして有しており、そのアンテナを用いて、非接触通信を行う。なお、非接触通信装置１１１では、その他、例えば、後述する無線通信装置１１２と同様に、混合積層アンテナを実装し、その混合積層アンテナを用いて、非接触通信を行うことができる。
【０２５３】
無線通信装置１１２は、非接触通信装置１１１よりも高速な無線通信である、例えば、Bluetooth（登録商標）等に準拠した無線通信を行う。
【０２５４】
処理部１１３は、電子機器１１０に固有の機能を発揮するための処理を行う。
【０２５５】
電子機器１２０は、非接触通信装置１２１、無線通信装置１２２、及び、処理部１２３を有する。
【０２５６】
非接触通信装置１２１は、例えば、図１のRFタグ（非接触通信装置）１２と同様に構成され、非接触通信装置１１１等のR/Wとの間で、ターゲットとして、非接触通信を行う。したがって、図２３では、非接触通信装置１２１は、例えば、図１のRFタグ１２と同様に、混合積層アンテナを有しており、その混合積層アンテナを用いて、非接触通信を行う。
【０２５７】
無線通信装置１２２は、無線通信装置１１２と同様に、非接触通信装置１２１よりも高速な無線通信である、例えば、Bluetooth（登録商標）等に準拠した無線通信を行う。
【０２５８】
処理部１２３は、電子機器１２０に固有の機能を発揮するための処理を行う。
【０２５９】
以上のような電子機器システムにおいては、電子機器１１０と１２０とが近接すると、イニシエータとしての非接触通信装置１１１と、ターゲットとしての非接触通信装置１２１との間で、非接触通信が行われ、電子機器１１０及び１２０のそれぞれにおいて、それぞれが通信相手であることが特定される。
【０２６０】
すなわち、電子機器１１０では、電子機器１２０が通信相手であることが特定され、電子機器１２０では、電子機器１１０が通信相手であることが特定される。
【０２６１】
その後、電子機器１１０では、通信を、非接触通信装置１１１から無線通信装置１１２に切り替えるハンドオーバーが行われるとともに、電子機器１２０では、通信を、非接触通信装置１２１から無線通信装置１２２に切り替えるハンドオーバーが行われる。
【０２６２】
電子機器１１０及び１２０のそれぞれでは、互いに、通信相手が特定されているので、ハンドオーバー後は、無線通信装置１１１と１１２との間で、高速な無線通信を行うことができる。
【０２６３】
したがって、電子機器１１０と１２０とでは、近接するだけで、互いを通信相手として特定して、高速な無線通信を行うことができる。
【０２６４】
その結果、ユーザは、電子機器１１０と１２０とを近接させるだけで、その電子機器１１０と１２０との間で、データがやりとりされるようにすることができる。
【０２６５】
図２４は、図３２の電子機器１１０及び１２０の具体例を説明する図である。
【０２６６】
例えば、図２４に示すように、電子機器１１０としては、例えば、TV（テレビジョン受像機）を採用するとともに、電子機器１２０としては、例えば、ディジタルカメラを採用することができる。
【０２６７】
この場合、電子機器１２０としてのディジタルカメラは、小型の混合積層アンテナを採用する非接触通信装置１２１を有しており、ユーザは、そのディジタルカメラを、非接触通信装置１２１との非接触通信が可能な非接触通信装置１１１を有する電子機器１１０としてのTVに近づけるだけで、例えば、ディジタルカメラで撮影した動画や静止画等のコンテンツを、TVに転送して視聴することができる。
【０２６８】
その他、例えば、電子機器１１０としては、例えば、携帯電話機や、スマートフォン、携帯型音楽プレーヤ等の携帯機器を採用するとともに、小型の混合積層アンテナを採用する非接触通信装置１２１を有する電子機器１２０としては、例えば、携帯機器で再生される曲等を出力する、小型のスピーカやヘッドフォンを採用することができる。
【０２６９】
この場合、ユーザは、携帯機器とスピーカやヘッドフォンとを近づけるだけで、例えば、携帯機器で再生された曲を、スピーカやヘッドフォンに転送して出力させることができる。
【０２７０】
なお、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２７１】
また、本技術の実施の形態は、上述した実施の形態に限定されるものではなく、本技術の要旨を逸脱しない範囲において種々の変更が可能である。
【０２７２】
すなわち、例えば、標準コイルや小コイルのサイズや形状は、上述したサイズや形状に限定されるものではない。
【０２７３】
さらに、混合積層アンテナは、標準コイルと小コイルの他、図２２で説明したように、さらに、極小コイルをも積層して構成することができる。
【０２７４】
また、混合積層アンテナを構成する各層の標準コイルや小コイル等のターン数は、略１ターンに限定されるものではなく、２ターン以上であってもよい。
【０２７５】
さらに、本実施の形態では、RFタグ１２のアンテナ部４１に、混合積層アンテナを適用した場合について説明したが、混合積層アンテナは、その他、例えば、R/W１１のアンテナ部２１や、RFタグ１２に対する読み出し又は書き込みのみを行うリーダ又はライタのアンテナ等に適用することができる。
【０２７６】
なお、本技術は、以下のように構成することができる。
【０２７７】
＜１＞
開口部が所定のサイズのコイルである１以上の標準コイルと、
開口部が、前記標準コイルより小さいサイズのコイルである１以上の小コイルと
が電気的に接続され、
前記標準コイルを有する標準コイル層と、前記小コイルを有する小コイル層とが、前記小コイルの開口部が前記標準コイルの開口部に包含されるように積層され、
表層が、前記標準コイル層になっている
アンテナ。
＜２＞
表層以外の層の前記標準コイル層、及び、前記小コイル層のうちの１以上は、前記標準コイルと前記小コイルとを有するダブルコイル層になっている
＜１＞に記載のアンテナ。
＜３＞
各層の標準コイル又は小コイルのターン数は、略１ターンである
＜１＞又は＜２＞に記載のアンテナ。
＜４＞
前記標準コイルの開口部と、前記小コイルの開口部との面積比は、略４：３である
＜１＞ないし＜３＞のいずれかに記載のアンテナ。
＜５＞
前記標準コイル層と前記小コイル層とが交互に積層されている
＜１＞ないし＜４＞のいずれかに記載のアンテナ。
＜６＞
前記標準コイル層、又は、前記小コイル層が、連続して積層されている
＜１＞ないし＜４＞のいずれかに記載のアンテナ。
＜７＞
開口部が、前記小コイルより小さいサイズのコイルである極小コイルを有する極小コイル層が、さらに積層されている
＜１＞ないし＜４＞のいずれかに記載のアンテナ。
＜８＞
前記標準コイル層と前記小コイル層とが、合計で６層だけ積層されている
＜１＞に記載のアンテナ。
＜９＞
前記６層のうちの第１層、第２層、第４層、及び、第６層は、前記標準コイル層であり、
前記６層のうちの第３層、及び、第５層は、前記小コイル層である
＜８＞に記載のアンテナ。
＜１０＞
前記標準コイルは、開口部が略19mm×14mmの略矩形状のコイルであり、
前記小コイルは、開口部が略17mm×12mmの略矩形状のコイルであり、
前記標準コイルを構成する線と、前記小コイルを構成する線との、前記開口部を含む面上の距離が、略1mmとなるように、前記標準コイル層と前記小コイル層とが積層されている
＜９＞に記載のアンテナ。
＜１１＞
開口部が所定のサイズのコイルである１以上の標準コイルと、
開口部が、前記標準コイルより小さいサイズのコイルである１以上の小コイルと
が電気的に接続され、
前記標準コイルを有する標準コイル層と、前記小コイルを有する小コイル層とが、前記小コイルの開口部が前記標準コイルの開口部に包含されるように積層され、
表層が、前記標準コイル層になっている
アンテナと、
前記アンテナを用いた無線通信を行うための信号処理を行う信号処理部と
を備える電子機器。
【符号の説明】
【０２７８】
１１，１２  非接触通信装置，  ２１  アンテナ部，  ２２  受信部，  ２３  復調部，  ２４  デコード部，  ２５  データ処理部，  ２６  エンコード部，  ２７  RF信号出力部，  ２８  変調部，  ２９  制御部，  ２９Ａ  CPU，  ２９Ｂ  EEPROM，  ３０  電源部，  ４０  IC（ベア）チップ，  ４１  アンテナ部，  ４２  受信部，  ４３  復調部，  ４４  デコード部，  ４５  データ処理部，  ４６  エンコード部，  ４７  負荷変調部，  ４８  電源部，  ４９  制御部，  ４９Ａ  CPU，  ４９Ｂ  EEPROM，  １１０  電子機器，  １１１  非接触通信装置，  １１２  無線通信装置，  １１３  処理部，  １２０  電子機器，  １２１  非接触通信装置，  １２２  無線通信装置，  １２３  処理部
【図１】
2014196391.tif 000003
【図２】
2014196391.tif 000004
【図３】
2014196391.tif 000005
【図４】
2014196391.tif 000006
【図５】
2014196391.tif 000007
【図６】
2014196391.tif 000008
【図７】
2014196391.tif 000009
【図８】
2014196391.tif 000010
【図９】
2014196391.tif 000011
【図１０】
2014196391.tif 000012
【図１１】
2014196391.tif 000013
【図１２】
2014196391.tif 000014
【図１３】
2014196391.tif 000015
【図１４】
2014196391.tif 000016
【図１５】
2014196391.tif 000017
【図１６】
2014196391.tif 000018
【図１７】
2014196391.tif 000019
【図１８】
2014196391.tif 000020
【図１９】
2014196391.tif 000021
【図２０】
2014196391.tif 000022
【図２１】
2014196391.tif 000023
【図２２】
2014196391.tif 000024
【図２３】
2014196391.tif 000025
【図２４】
2014196391.tif 000026
【国際調査報告】
2014196391.tif 000027
2014196391.tif 000028